(57)【要約】【課題】ホルダに外力が加えられた際に、ホルダの破断線が挿入孔を通ることが抑制された蓄電装置を提供する。【解決手段】ホルダ２は、長手方向に延びると共に幅方向Ｗに配列する第１長側面３０および第２長側面３１を含み、第１長側面３０には、第１脆弱部５１が形成されており、  第２長側面３１には、第２脆弱部が形成されており、第１薄肉部５０Ａおよび第２薄肉部５０Ｂを通る仮想直線を仮想破断線Ｌ１とすると、第１脆弱部５１および第２脆弱部は、仮想破断線Ｌ１が通る位置、または、仮想破断線Ｌ１の近傍に位置する。【選択図】図４
2019160626.tif 000002
【特許請求の範囲】
【請求項１】
複数の挿入孔を有する孔列が複数形成されると共に、幅方向よりも長手方向に長尺に形成されたホルダと、
前記複数の挿入孔の各々に挿入された単位電池と、
を備え、
前記ホルダは、前記長手方向に延びると共に前記幅方向に配列する第１長側面および第２長側面を含み、
前記第１長側面には、第１脆弱部が形成されており、
前記第２長側面には、第２脆弱部が形成されており、
複数の孔列は、第１孔列と、前記第１孔列に対して前記第２長側面側に隣り合う第２孔列とを含み、
前記第１孔列は、第１挿入孔と、前記第１挿入孔に対して前記長手方向に隣り合う第２挿入孔とを有し、
前記第２孔列は、第３挿入孔と、前記第３挿入孔に対して前記長手方向に隣り合う第４挿入孔とを有し、
前記第１挿入孔および前記第２挿入孔の間に形成された第１薄肉部と、前記第４挿入孔とは、前記幅方向に隣り合い、
前記第３挿入孔および前記第４挿入孔の間に形成された第２薄肉部と、前記第１挿入孔とは前記幅方向に隣り合い、
前記第１薄肉部および前記第２薄肉部を通る仮想直線を仮想破断線とすると、前記第１脆弱部および前記第２脆弱部は、前記仮想破断線が通る位置、または、前記仮想破断線の近傍に位置する、蓄電装置。
【請求項２】
前記仮想破断線は、前記第１長側面に位置する第１部分と、前記第１薄肉部に位置する第２部分とを含み、
前記仮想破断線のうち、前記第１部分および前記第２部分の間に位置する線分を第１仮想線分とし、
前記ホルダのうち前記第１仮想線分に対して前記第１長側面側に位置する部分を第１領域とすると、
前記第１脆弱部が前記仮想破断線の近傍に位置するとは、前記第１脆弱部の少なくとも一部が前記第１領域に位置していることである、請求項１に記載の蓄電装置。
【請求項３】
前記複数の孔列は、前記第２長側面と隣り合う位置に形成された第３孔列を含み、
前記第３孔列は、第５挿入孔と、前記第５挿入孔に対して前記長手方向に隣り合う第６挿入孔とを含み、
前記仮想破断線は、前記第５挿入孔および前記第６挿入孔の間に位置する第３薄肉部を通り、
前記仮想破断線は、前記第２長側面に位置する第３部分と、前記第３薄肉部に位置する第４部分とを含み、
前記仮想破断線のうち、前記第３部分および前記第４部分の間に位置する線分を第２仮想線分とし、
前記ホルダのうち前記第２仮想線分に対して前記第２長側面側に位置する部分を第２領域とすると、
前記第２脆弱部が前記仮想破断線の近傍に位置するとは、前記第２脆弱部の少なくとも一部が前記第２領域に位置していることである、請求項１または請求項２に記載の蓄電装置。
【請求項４】
前記複数の孔列の各々は、前記複数の挿入孔が前記長手方向に配列することで形成されており、
前記複数の孔列の各々は、前記幅方向に配列するように形成されており、
前記仮想破断線は、各前記孔列において、前記挿入孔間に位置する薄肉部を通る、請求項１から請求項３のいずれかに記載の蓄電装置。
【請求項５】
前記ホルダには、前記第１長側面に第３脆弱部が形成されており、
前記第２脆弱部を通り、前記幅方向に延びる仮想線を対称仮想線とすると、
前記第１孔列は、前記対称仮想線に対して前記第１挿入孔および前記第２挿入孔と対称に形成された第７挿入孔および第８挿入孔を含み、
前記第７挿入孔および前記第８挿入孔の間には、第４薄肉部が形成されており、
前記第２孔列は、前記対称仮想線に対して前記第３挿入孔および前記第４挿入孔と対称に形成された第９挿入孔および第１０挿入孔を含み、
前記第９挿入孔および前記第１０挿入孔の間には、第５薄肉部が形成されており、
前記第４薄肉部および前記第５薄肉部を通る仮想直線を他の仮想破断線とすると、
前記第３脆弱部は、前記他の仮想破断線が通る位置、または、前記他の仮想破断線の近傍に位置する、請求項１から請求項４のいずれかに記載の蓄電装置。
【発明の詳細な説明】
【技術分野】
【０００１】
本開示は、蓄電装置に関する。
【背景技術】
【０００２】
蓄電装置として複数の円筒電池を含む蓄電装置が知られており、たとえば、複数の挿入孔が形成された板状のホルダと、挿入孔に挿入された複数の円筒電池とを備える蓄電装置が知られている。
【０００３】
このような蓄電装置において、外部から大きな外力がホルダに加えられると、ホルダが変形する。ホルダの変形に伴って、ホルダに挿入されている円筒電池が損傷しやすい。
【０００４】
そこで、外部から大きな外力がホルダに加えられた場合においても、円筒電池の損傷の抑制が図られた蓄電装置について提案されている。たとえば、特開２０１６−１１５５９９号公報に記載された蓄電装置は、複数の円筒電池と、ホルダとを備える。ホルダは平面視すると長方形形状に形成されており、ホルダの周面は一対の長側面を含む。
【０００５】
ホルダには、円筒電池が挿入される挿入孔が複数形成されており、ホルダの各長側面には、脆弱部が形成されている。
【０００６】
上記の蓄電装置においては、蓄電モジュールに外力が加えられると、各長側面に形成された各脆弱部に応力が集中して、各脆弱部から破断し始め、ホルダが分断される。
【０００７】
このように、特開２０１６−１１５５９９号公報に記載された蓄電装置においては、蓄電装置に大きな外力が加えられた際に、ホルダが外力によって大きく変形する前に、ホルダが割れるような構成となっている。そして、ホルダが割れることで、複数のホルダピースが形成され、各ホルダピースは互いに相対的に変位する。
【０００８】
このように、ホルダが外力によって変形する前に、ホルダを割って、各ホルダピースと共に円筒電池も移動させることで、円筒電池の損傷が抑制されている。
【先行技術文献】
【特許文献】
【０００９】
【特許文献１】特開２０１６−１１５５９９号公報
【発明の概要】
【発明が解決しようとする課題】
【００１０】
上記の蓄電装置において、ホルダに外力が加えられてホルダが破断する際に、ホルダの破断線が挿入孔を通るおそれがある。その後、さらに外力が一方のホルダピースに加えられると、一方のホルダピースが破断線に沿って、他方のホルダピースに対して相対的に移動する。この際、破断線が挿入孔を通っている場合には、当該挿入孔内に挿入された円筒電池は、ホルダピースの移動に伴って変形したり損傷したりし易い。
【００１１】
本開示は、上記のような課題に鑑みてなされたものであって、その目的は、ホルダに外力が加えられた際に、ホルダの破断線が挿入孔を通ることが抑制された蓄電装置を提供することである。
【課題を解決するための手段】
【００１２】
本開示に係る蓄電装置は、複数の挿入孔を有する孔列が複数形成されると共に、幅方向よりも長手方向に長尺に形成されたホルダと、複数の挿入孔の各々に挿入された単位電池とを備える。上記ホルダは、長手方向に延びると共に幅方向に配列する第１長側面および第２長側面を含む。上記第１長側面には、第１脆弱部が形成されており、第２長側面には、第２脆弱部が形成されている。複数の孔列は、第１孔列と、第１孔列に対して第２長側面側に隣り合う第２孔列とを含む。
【００１３】
上記第１孔列は、第１挿入孔と、第１挿入孔に対して長手方向に隣り合う第２挿入孔とを有し、第２孔列は、第３挿入孔と、第３挿入孔に対して長手方向に隣り合う第４挿入孔とを有する。
【００１４】
上記第１挿入孔および第２挿入孔の間に形成された第１薄肉部と、第４挿入孔とは、幅方向に隣り合う。上記第３挿入孔および第４挿入孔の間に形成された第２薄肉部と、第１挿入孔とは幅方向に隣り合う。
【００１５】
上記第１薄肉部および第２薄肉部を通る仮想直線を仮想破断線とすると、第１脆弱部および第２脆弱部は、仮想破断線が通る位置、または、仮想破断線の近傍に位置する。
【００１６】
上記の蓄電装置によれば、第１長側面にホルダに大きな外力が加えられると、第１脆弱部および第２脆弱部から亀裂が進展する。第１脆弱部および第２脆弱部は、仮想破断線が通る位置または仮想破断線の近傍に位置しているため、第１脆弱部および第２脆弱部から進展した破断線は、仮想破断線に達しやすい。
【００１７】
各亀裂が仮想破断線に達すると、ホルダは、主に、第１薄肉部および第２薄肉部によって繋がった状態になり、第１脆弱部および第２脆弱部に応力が集中しやすい。その結果、第１脆弱部および第２脆弱部を通るように破断線が形成されて、ホルダが分断され、２つのホルダピースが形成される。
【００１８】
このように、ホルダが破断する際に、破断線は薄肉部を通り易く、破断線が挿入孔を通ることが抑制されている。これにより、ホルダピースが相対的に移動する際に、単位電池が損傷することを抑制することができる。
【００１９】
上記の蓄電装置において、仮想破断線は、第１長側面に位置する第１部分と、第１薄肉部に位置する第２部分とを含み、仮想破断線のうち、第１部分および第２部分の間に位置する線分を第１仮想線分とし、ホルダのうち第１仮想線分に対して第１長側面側に位置する部分を第１領域とすると、第１脆弱部が仮想破断線の近傍に位置するとは、第１脆弱部の少なくとも一部が第１領域に位置していることである。
【００２０】
上記の蓄電装置によれば、第１脆弱部から進展する亀裂が仮想破断線に達しやすい。
上記の蓄電装置において、複数の孔列は、第２長側面と隣り合う位置に形成された第３孔列を含み、第３孔列は、第５挿入孔と、第５挿入孔に対して長手方向に隣り合う第６挿入孔とを含み、仮想破断線は、第５挿入孔および第６挿入孔の間に位置する第３薄肉部を通り、仮想破断線は、第２長側面に位置する第３部分と、第３薄肉部に位置する第４部分とを含み、仮想破断線のうち、第３部分および第４部分の間に位置する線分を第２仮想線分とし、ホルダのうち第２仮想線分に対して第２長側面側に位置する部分を第２領域とすると、第２脆弱部が仮想破断線の近傍に位置するとは、第２脆弱部の少なくとも一部が第２領域に位置していることである。
【００２１】
上記の蓄電装置によれば、第２脆弱部から進展した亀裂が仮想破断線に達しやすい。
上記の蓄電装置において、複数の孔列の各々は、複数の挿入孔が長手方向に配列することで形成されており、複数の孔列の各々は、幅方向に配列するように形成されており、仮想破断線は、各孔列において、挿入孔間に位置する薄肉部を通る。
【００２２】
上記の蓄電装置によれば、破断線が各薄肉部を通り易く、破断線が挿入孔を通ることを抑制することができる。
【００２３】
上記の蓄電装置において、ホルダには、第１長側面に第３脆弱部が形成されており、第２脆弱部を通り、幅方向に延びる仮想線を対称仮想線とすると、第１孔列は、対称仮想線に対して第１挿入孔および第２挿入孔と対称に形成された第７挿入孔および第８挿入孔を含み、第７挿入孔および第８挿入孔の間には、第４薄肉部が形成されており、第２孔列は、対称仮想線に対して第３挿入孔および第４挿入孔と対称に形成された第９挿入孔および第１０挿入孔を含み、第９挿入孔および第１０挿入孔の間には、第５薄肉部が形成されており、第４薄肉部および第５薄肉部を通る仮想直線を他の仮想破断線とすると、第３脆弱部は、他の仮想破断線が通る位置、または、他の仮想破断線の近傍に位置する。
【００２４】
上記の蓄電装置によれば、第４薄肉部および第５薄肉部を通るように、破断線が形成され易く、破断線が挿入孔を通ることを抑制することができる。
【発明の効果】
【００２５】
本開示に係る蓄電装置によれば、ホルダに外力が加えられた際に、ホルダの破断線が挿入孔を通ることを抑制することができる。
【図面の簡単な説明】
【００２６】
【図１】電池パック２００を模式的に示す模式図である。
【図２】蓄電装置１Ａを示す分解斜視図である。
【図３】ホルダ２を示す平面図であり、ホルダ２の上方から視たときの平面図である。
【図４】図３に示すホルダ２の一部を拡大視したときの平面図である。
【図５】脆弱部５１およびその周囲の構成を示す斜視図である。
【図６】脆弱部５１およびその周囲の構成を示す平面図である。
【図７】仮想線分ＬＬ１と、脆弱部５１との配置関係を示す平面図である。
【図８】脆弱部５２およびその周囲の構成を示す斜視図である。
【図９】脆弱部５２およびその周囲の構成を示す平面図である。
【図１０】仮想線分ＬＬ２と脆弱部５２との配置関係を示す平面図である。
【図１１】圧壊子２３０から電池パック２００の外側面２０３に荷重が加えられた状態を示す斜視図である。
【図１２】圧壊子２３０からホルダ２に外力が荷重が加えられた状態を示す平面図である。
【図１３】図１２に示す状態において、ホルダ２の一部を拡大視した平面図である。
【図１４】ホルダピース２Ａがホルダピース２Ｂに対して相対移動した状態を示す平面図である。
【図１５】比較例に係るホルダ２Ｃを示す平面図である。
【図１６】ホルダ２Ｃを圧壊子２３０で押圧した状態を示す平面図である。
【図１７】脆弱部５１および脆弱部５２が仮想破断線Ｌ１が通る位置に形成されたホルダを示す平面図である。
【図１８】蓄電装置１Ｃのホルダ２Ｃを示す平面図である。
【図１９】脆弱部５１，５２，８０およびその周囲の構成を示す平面図である。
【図２０】脆弱部８０およびその周囲の構成を示す平面図である。
【図２１】仮想線分ＬＬ３および脆弱部８０の配置関係を示す平面図である。
【図２２】圧壊子２３が、長手方向Ｌにおいて長側面３０の中央部を押圧したときの平面図である。
【図２３】ホルダ２Ｃが破断した後に、ホルダピース２Ｇがさらに圧壊子２３０によって押圧された状態を示す平面図である。
【発明を実施するための形態】
【００２７】
図１から図２３を用いて、本実施の形態１，２に係る蓄電装置について説明する。図１から図２３に示す構成のうち、同一または実質的に同一の構成については、同一の符号を付して重複した説明を省略する。また、実施の形態１，２に係る蓄電装置の構成のうち、請求項に記載された構成に対応する構成については、括弧書きで請求項の構成を併記する場合がある。
（実施の形態１）
図１は、電池パック２００を模式的に示す模式図である。電池パック２００は、蓄電装置１Ａ，１Ｂと、固定プレート２０１，２０２とを含む。
【００２８】
蓄電装置１Ａおよび蓄電装置１Ｂは、Ｘ方向に間隔をあけて配列している。固定プレート２０１は、蓄電装置１Ａの一端にボルト２１０，２１１によって固定されており、蓄電装置１Ｂの一端にボルト２１２，２１３によって固定されている。
【００２９】
固定プレート２０１は、ボルト２１４，２１５，２１６によって、車両のフロアパネルなどに固定されている。このように、固定プレート２０１は、蓄電装置１Ａおよび蓄電装置１Ｂを互いに連結すると共に、蓄電装置１Ａおよび蓄電装置１Ｂをフロアパネルに固定している。
【００３０】
固定プレート２０２は、蓄電装置１Ａの他端にボルト２２０，２２１によって固定されており、蓄電装置１Ｂの他端にボルト２２２，２２３によって固定されている。なお、固定プレート２０２も図示されてないボルトによってフロアパネルに固定されている。
【００３１】
このように、固定プレート２０２も蓄電装置１Ａおよび蓄電装置１Ｂを互いに連結すると共に、蓄電装置１Ａおよび蓄電装置１Ｂをフロアパネルに固定している。
【００３２】
次に、蓄電装置１Ａの構成について説明する。なお、各蓄電装置１Ａ，１Ｂの構成は同一または実質的に同一であるため、蓄電装置１Ａの構成について主に説明する。
【００３３】
図２は、蓄電装置１Ａを示す分解斜視図である。蓄電装置１Ａは、ホルダ２と、円筒電池３と、樹脂ケース４と、正極バスバーモジュール５と、負極バスバーモジュール６と、アンダーカバー７と、接続バスバーモジュール８とを備える。
【００３４】
ホルダ２は、略板状に形成されており、たとえば、ホルダ２は金属材料によって形成されている。ホルダ２には上下方向に貫通する複数の挿入孔１０が形成されている。ホルダ２の具体的な構成については後述する。
【００３５】
蓄電装置１Ａは、複数の円筒電池３を備えており、各円筒電池３は、挿入孔１０に挿入されている。正極１１は円筒電池３の上端部に形成されており、負極１２は円筒電池３の下端部に形成されている。各円筒電池３の上端部は、ホルダ２の上面から突出している。樹脂ケース４は、複数の円筒電池３を上方から覆うように設けられている。
【００３６】
正極バスバーモジュール５は、Ｙ方向に間隔をあけて配置された複数の正極バスバー１４Ａ，１４Ｂ，１４Ｃ，１４Ｄを含み、各正極バスバー１４Ａ，１４Ｂ，１４Ｃ，１４Ｄは、複数の円筒電池３の正極１１を並列に接続している。
【００３７】
負極バスバーモジュール６は、Ｙ方向に間隔をあけて配置された複数の負極バスバー２０Ｂ，２０Ｃ，２０Ｄ，２０Ｅを含み、各負極バスバー２０Ｂ，２０Ｃ，２０Ｄ，２０Ｅは複数の円筒電池３の負極１２を並列に接続している。
【００３８】
接続バスバーモジュール８は、複数の接続バスバー２６Ｂ，２６Ｃ，２６Ｄ，２６Ｅを含む。接続バスバー２６Ｂは、正極バスバー１４Ｂおよび負極バスバー２０Ｂを接続している。接続バスバー２６Ｃ，２６Ｄは、正極バスバー１４Ｃ，１４Ｄと、負極バスバー２０Ｃ，２０Ｄとを接続している。接続バスバー２６Ｅは、負極バスバー２０Ｅに接続されている。
【００３９】
次に、ホルダ２の構成について詳細に説明する。ホルダ２は、板状に形成されており、ホルダ２は、上面２８と、下面２９と、周面２７とを含む。
【００４０】
図３は、ホルダ２を示す平面図であり、ホルダ２の上方から視たときの平面図である。この図３に示すように、ホルダ２は、長方形形状に形成されている。ホルダ２の長手方向Ｌの長さは、ホルダ２の幅方向Ｗの長さよりも長い。
【００４１】
この図３においては、ホルダ２は、幅方向ＷがＸ方向に一致し、長手方向ＬがＹ方向に一致するように配置されている。
【００４２】
ホルダ２の周面２７は、長側面３０および長側面３１と、短側面３２および短側面３３とを含む。長側面３０は、図１において、電池パック２００の外側面２０３側に位置しており、長側面３１は、図１において、蓄電装置１Ｂ側に位置している。
【００４３】
図３に戻って、長側面３０および長側面３１は長手方向Ｌに延びており、長側面３０および長側面３１は、幅方向Ｗに配列している。短側面３２および短側面３３は幅方向Ｗに延びており、長手方向Ｌに配列している。
【００４４】
短側面３２には、ボルト孔４０，４１が形成されており、短側面３３にはボルト孔４２，４３が形成されている。
【００４５】
ボルト孔４０，４１には、図１に示すボルト２１０，２１１が挿入されており、図１に示す固定プレート２０１はホルダ２に固定されている。同様に、ボルト孔４２，４３には、ボルト２２０，２２１が挿入されており、図１に示す固定プレート２０２がホルダ２に固定されている。
【００４６】
このように、ホルダ２の短側面３２は固定プレート２０１によってフロアパネルに固定されており、ホルダ２の短側面３３は固定プレート２０２によってフロアパネルによって固定されている。そのため、ホルダ２は、実質的に、両端固定された状態である。
【００４７】
ホルダ２には、複数の孔列３５，３６，３７，３８が形成されている。孔列３５は、長手方向Ｌに等間隔に間を空けて配列する複数の挿入孔１０によって形成されている。同様に、孔列３６，３７，３８も、長手方向Ｌに等間隔に間をあけて配列する複数の挿入孔１０によって形成されている。
【００４８】
挿入孔１０は、ホルダ２の上面２８から下面に達するように形成されており、各挿入孔１０の開口部は円形形状に形成されており、各開口部の半径は「Ｒ」である。
【００４９】
孔列（第１孔列）３５は長側面３０側に形成されており、孔列（第２孔列）３６は孔列３５に対して長側面（第２長側面）３１側に隣り合う位置に形成されている。そして、孔列３６は、孔列３５に対して短側面３２側に略半径Ｒ分ずれている。
【００５０】
孔列３７は孔列３６に対して長側面３１側に隣り合う位置に形成されており、孔列３７は、孔列３６に対して短側面３３側に略半径Ｒ分ずれている。
【００５１】
孔列３８は孔列３７に対して長側面３１側に隣り合う位置に形成されており、孔列３８は孔列３７に対して、短側面３２側に略半径Ｒ分ずれている。そして、孔列（第３孔列）３８は、長側面３１と隣り合う位置に形成されている。すなわち、ホルダ２に形成された挿入孔１０は千鳥状に形成されている。
【００５２】
図４は、図３に示すホルダ２の一部を拡大視したときの平面図である。孔列３５は、挿入孔（第１挿入孔）１０Ａと、挿入孔（第２挿入孔）１０Ｂとを含む。
【００５３】
挿入孔１０Ｂは、挿入孔１０Ａに対して長手方向Ｌに隣り合うように形成されている。そして、ホルダ２のうち、挿入孔１０Ａと挿入孔１０Ｂとの間に位置する部分には、薄肉部（第１薄肉部）５０Ａが形成されている。
【００５４】
孔列３６は、挿入孔（第３挿入孔）１０Ｃおよび挿入孔（第４挿入孔）１０Ｄを含む。挿入孔１０Ｄは、挿入孔１０Ｃに対して長手方向Ｌに隣り合うように形成されている。そして、ホルダ２のうち、挿入孔１０Ｃおよび挿入孔１０Ｄの間には、薄肉部（第２薄肉部）５０Ｂが形成されている。
【００５５】
そして、薄肉部（第１薄肉部）５０Ａと、挿入孔（第４挿入孔）１０Ｄとは、幅方向Ｗに隣り合い、具体的には、薄肉部５０Ａと、挿入孔１０Ｄの開口部の中心ＯＤとが幅方向Ｗに隣り合っている。
【００５６】
さらに、挿入孔（第１挿入孔）１０Ａと、薄肉部（第２薄肉部）５０Ｂとは、幅方向Ｗに隣り合い、具体的には、挿入孔１０Ａの開口部の中心ＯＡと、薄肉部５０Ｂとは幅方向Ｗに隣り合う。
【００５７】
なお、挿入孔（第１挿入孔）１０Ａと、挿入孔（第４挿入孔）１０Ｄとの間には、薄肉部４９Ａが形成されている。
【００５８】
孔列３７は、挿入孔１０Ｅおよび挿入孔１０Ｆを含む。挿入孔１０Ｆは、挿入孔１０Ｅに対して、長手方向Ｌに隣り合うように形成されている。そして、挿入孔１０Ｅおよび挿入孔１０Ｆの間には、薄肉部５０Ｃが形成されている。
【００５９】
薄肉部５０Ｃと挿入孔１０Ｃとは、幅方向Ｗに隣り合っており、具体的には、薄肉部５０Ｃと、挿入孔１０Ｃの開口部の中心ＯＣとが幅方向Ｗに隣り合っている。さらに、薄肉部５０Ｂと、挿入孔１０Ｆとが幅方向Ｗに隣り合っており、具体的には、挿入孔１０Ｆの開口部の中心ＯＦと薄肉部５０Ｂとが幅方向Ｗに隣り合っている。なお、挿入孔１０Ｃおよび挿入孔１０Ｆの間には、薄肉部４９Ｂが形成されている。
【００６０】
孔列（第３孔列）３８は、挿入孔（第５挿入孔）１０Ｇおよび挿入孔（第６挿入孔）１０Ｈを含む。挿入孔１０Ｈは、挿入孔１０Ｇに対して長手方向Ｌに隣り合うように形成されている。そして、挿入孔１０Ｈは、挿入孔１０Ｇに対して長手方向Ｌに隣り合うように形成されている。挿入孔１０Ｇおよび挿入孔１０Ｈの間には、薄肉部（第３薄肉部）５０Ｄが形成されている。
【００６１】
薄肉部５０Ｄと挿入孔１０Ｅとは、幅方向Ｗに隣り合うように形成されている。具体的には、薄肉部５０Ｄと、挿入孔１０Ｅの開口部の中心ＯＥとが幅方向Ｗに隣り合っている。
【００６２】
さらに、薄肉部５０Ｃと挿入孔１０Ｈとが幅方向Ｗに隣り合うように形成されており、具体的には、薄肉部５０Ｃと、挿入孔１０Ｈの中心ＯＨとが幅方向Ｗに隣り合っている。なお、挿入孔１０Ｈおよび挿入孔１０Ｅの間には、薄肉部４９Ｃが形成されている。
【００６３】
上記のように、ホルダ２には、複数の挿入孔１０によって、複数の薄肉部５０Ａ，５０Ｂ，５０Ｃ，５０Ｄおよび薄肉部４９Ａ，４９Ｂ，４９Ｃが形成されており、各薄肉部５０Ａ，５０Ｂ，５０Ｃ，５０Ｄおよび各薄肉部４９Ａ，４９Ｂ，４９Ｃの厚さは薄い。たとえば、挿入孔１０Ａの開口縁部と、長側面３０との間の距離を長さＬ１０とし、挿入孔１０Ｇの開口部および長側面３１の間の距離を長さＬ１１とする。この場合、各薄肉部５０Ａ，５０Ｂ，５０Ｃ，５０Ｄおよび各薄肉部４９Ａ，４９Ｂ，４９Ｃの厚さは、長さＬ１０，Ｌ１１よりも小さい。
【００６４】
この図４において、仮想破断線Ｌ１は、薄肉部５０Ａおよび薄肉部５０Ｂを通る仮想直線である。本実施の形態においては、仮想破断線Ｌ１は、薄肉部５０Ａ，５０Ｂ，５０Ｃ，５０Ｄおよび各薄肉部４９Ａ，４９Ｂ，４９Ｃを通る。
【００６５】
図３に戻って、ホルダ２の長側面３０には、脆弱部５１が形成されており、長側面３１には脆弱部５２が形成されている。脆弱部５２は、長手方向Ｌにおいて長側面３１の中央部に形成されている。脆弱部５１は、長手方向Ｌにおいて、長側面３０の中央部よりも、短側面３２側に位置している。
【００６６】
図４において、脆弱部５１は、薄肉部５０Ａに対して幅方向Ｗに隣り合う位置に形成されており、脆弱部５２は薄肉部５０Ｄに対して幅方向Ｗに隣り合う位置に形成されている。
【００６７】
図５は、脆弱部５１およびその周囲の構成を示す斜視図である。本実施の形態においては、脆弱部５１は、長側面３０に形成された切欠部である。脆弱部５１は、ホルダ２の上面２８から下面２９に達するように形成されている。
【００６８】
脆弱部５１の内表面は、内側面６０，６１と、傾斜面６２，６３とを含む。内側面６０および内側面６１は、長側面３０から幅方向Ｗに延びると共に、長手方向Ｌに間隔をあけて配置されている。傾斜面６２は内側面６０に接続されており、傾斜面６３は内側面６１に接続されている。傾斜面６２および傾斜面６３は、長側面３０側から離れるにつれて、互いに近づくように形成されている。そして、脆弱部５２の先端部には、頂辺６４が形成されている。
【００６９】
図６は、脆弱部５１およびその周囲の構成を示す平面図である。薄肉部５０Ａは、挿入孔１０Ａおよび挿入孔１０Ｂの間のうち、最も厚さが薄い部分である。本実施の形態１においては、薄肉部５０Ａは、挿入孔１０Ａの中心ＯＡと、挿入孔１０Ｂの中心ＯＢとを通る仮想線Ｌ２上に位置している。
【００７０】
仮想破断線Ｌ１上の部分（第１部分）Ｐ１は長側面３０に位置しており、仮想破断線Ｌ１上の部分（第２部分）Ｐ２は薄肉部５０Ａに位置している。そして、図６に示す仮想線分ＬＬ１は、仮想破断線Ｌ１のうち、部分Ｐ１および部分Ｐ２の間に位置する線分である。
【００７１】
図７は、仮想線分ＬＬ１と、脆弱部５１との配置関係を示す平面図である。この図７において、領域Ｒ１は、ホルダ２のうち、仮想線分ＬＬ１に対して長側面３０側に位置する部分である。
【００７２】
そして、脆弱部５１が仮想破断線Ｌ１の近傍に位置するとは、脆弱部５１の少なくとも一部が、領域Ｒ１内に位置していることである。図７に示す例においては、脆弱部５１の略半分が領域Ｒ１内に位置している。そして、脆弱部５１の頂辺６４が領域Ｒ１に位置している。
【００７３】
図８は、脆弱部５２およびその周囲の構成を示す斜視図である。本実施の形態においては、脆弱部５２は、長側面３１に形成された切欠部である。脆弱部５２は、ホルダ２の上面２８から下面２９に達するように形成されている。
【００７４】
脆弱部５２の内表面は、内側面６５，６６と、傾斜面６７，６８とを含む。内側面６５および内側面６６は、長側面３１から幅方向Ｗに延びると共に、内側面６５および内側面６６は互いに長手方向Ｌに間隔をあけて配置されている。
【００７５】
傾斜面６７は内側面６５に接続されており、傾斜面６８は内側面６６に接続されている。傾斜面６７および傾斜面６８は、長側面３１から離れるにつれて、互いに近接するように形成されている。そして、脆弱部５２の先端部には頂辺６９が形成されている。
【００７６】
図９は、脆弱部５２およびその周囲の構成を示す平面図である。薄肉部５０Ｄは、挿入孔１０Ｇおよび挿入孔１０Ｈの間のうち、最も厚さが薄い部分である。薄肉部５０Ｄは、挿入孔１０Ｇの中心ＯＧと、挿入孔１０Ｈの中心ＯＨとを通る仮想線Ｌ３上に位置している。
【００７７】
仮想破断線Ｌ１の部分（第３部分）Ｐ３は、長側面３１に位置しており、部分（第４部分）Ｐ４は、薄肉部５０Ｄに位置している。図９に示す仮想線分ＬＬ２は、部分Ｐ３および部分Ｐ４の間に位置する線分である。
【００７８】
図１０は、仮想線分ＬＬ２と脆弱部５２との配置関係を示す平面図である。この図１０に示す領域Ｒ２は、仮想線分ＬＬ２に対して長側面３１側に位置する部分である。
【００７９】
そして、脆弱部５２が仮想破断線Ｌ１の近傍に位置するとは、脆弱部５２の少なくとも一部が、領域Ｒ２内に位置していることである。なお、図１０に示す例においては、頂辺６９が薄肉部５０Ｄに対して幅方向Ｗに隣り合う位置に形成されている。
【００８０】
上記のように構成された電池パック２００において、外部から大きな荷重が加えられる場合がある。
【００８１】
図１１は、圧壊子２３０から電池パック２００の外側面２０３に荷重が加えられた状態を示す斜視図である。この状態においては、図１２に示すように、圧壊子２３０は、ホルダ２に荷重を加えることになる。なお、図１２は、圧壊子２３０からホルダ２に外力が加えられた状態を示す平面図である。
【００８２】
図１２に示す例においては、圧壊子２３０は、長手方向Ｌにおいて長側面３０の中央部分に接触している。この際、ホルダ２は、短側面３２側および短側面３３側において固定されており、ホルダ２は、長手方向Ｌの中央部が撓むように変形しようとすると共に、ホルダ２内に内部応力が生じる。
【００８３】
図１３は、図１２に示す状態において、ホルダ２の一部を拡大視した平面図である。頂辺６４は、切欠部である脆弱部５１の先端部に位置しており、圧壊子２３０からの荷重によって頂辺６４に応力が集中し易い。このため、頂辺６４から亀裂が進展する。頂辺６４は、図７に示す領域Ｒ２内に形成されており、頂辺６４から進展した亀裂は、仮想破断線Ｌ１に達しやすい。
【００８４】
特に、頂辺６４は、薄肉部５０Ａに対して幅方向Ｗに隣り合うように形成されているため、頂辺６９から進展した亀裂は、薄肉部５０Ａに達しやすい。
【００８５】
脆弱部５２においても、圧壊子２３０からの荷重によって、脆弱部５２の頂辺６９に応力が集中し易く、頂辺６９から亀裂が進展する。図１０に示すように、脆弱部５２は、領域Ｒ４内に位置しており、脆弱部５２は仮想破断線Ｌ１の近傍に位置している。そのため、脆弱部５２から進展した亀裂は、仮想破断線Ｌ１に達しやすい。
【００８６】
特に、脆弱部５２は、圧壊子２３０および長側面３０の接触位置と対向する位置に形成されているため、脆弱部５２には、長手方向Ｌに均等に押し広げようとする荷重が加えられやすい。その結果、脆弱部５２から進展する亀裂は、幅方向Ｗに進展し易く、薄肉部５０Ｄに達しやすい。
【００８７】
このように、各脆弱部５１，５２から進展する亀裂が仮想破断線Ｌ１に達すると、ホルダ２のうち、仮想破断線Ｌ１を通る部分の剛性が低くなり、仮想破断線Ｌ１に沿って亀裂が進展したり、破断が生じやすい。
【００８８】
具体的には、脆弱部５１からの亀裂が薄肉部５０Ａに達し、脆弱部５２からの亀裂が薄肉部５０Ｄに達すると、ホルダ２は、薄肉部４９Ａ，５０Ｂ，４９Ｂ，５０Ｃ，４９Ｃによって繋がった状態となり、小さい面積でつながった状態となる。
【００８９】
その結果、薄肉部４９Ａ，５０Ｂ，４９Ｂ，５０Ｃ，４９Ｃに応力が集中しやすく、薄肉部４９Ａ，５０Ｂ，４９Ｂ，５０Ｃ，４９Ｃに亀裂が生じて、ホルダ２が破断しやすい。
【００９０】
このように、本実施の形態においては、薄肉部５０Ａ，４９Ａ，５０Ｂ，４９Ｂ，５０Ｃ，４９Ｃ，５０Ｄを通るように破断線Ｌ８を形成することができ、破断線Ｌ８が挿入孔１０を通ることを抑制することができる。
【００９１】
そして、破断線Ｌ８によって、ホルダ２が破断されると、ホルダ２は、ホルダピース２Ａおよびホルダピース２Ｂに分割される。
【００９２】
ホルダ２がホルダピース２Ａ，２Ｂに分割された後においても、圧壊子２３０がさらにホルダ２を押圧すると、ホルダピース２Ａは、破断線Ｌ８に沿って、ホルダピース２Ｂに対して相対的に移動する。
【００９３】
なお、破断線Ｌ８は、長側面３０側から長側面３１側に向かうにつれて、短側面３２側から短側面３３側に近づくように延びている。
【００９４】
図１４は、ホルダピース２Ａがホルダピース２Ｂに対して相対移動した状態を示す平面図である。
【００９５】
ホルダ２が破断線Ｌ８で分割されることで、ホルダピース２Ａには、破断面７１が形成されており、ホルダピース２Ｂには破断面７２が形成されている。
【００９６】
破断面７１，７２も、破断線Ｌ８と同様に、長側面３０側から長側面３１側に向かうにつれて、短側面３２側から短側面３３側に近づくように延びている。
【００９７】
そのため、ホルダピース２Ａおよびホルダピース２Ｂは、破断面７１，７２に沿って移動して、ホルダピース２Ａ，２Ｂは、互いに長手方向Ｌおよび幅方向Ｗに移動する。
【００９８】
図１５は、比較例に係るホルダ２Ｃ１を示す平面図である。
ホルダ２Ｃ１の長側面３０には、脆弱部５１Ａが形成されており、長側面３１には脆弱部５２Ａが形成されている。そして、脆弱部５１Ａおよび脆弱部５２Ａは、幅方向Ｗに対向している。脆弱部５１Ａと、脆弱部５２Ａとの間には、複数の挿入孔１０が位置している。
【００９９】
脆弱部５１Ａ，５２Ａは、長手方向Ｌにおける長側面３０，３１の中央よりも短側面３２側に形成されている。
【０１００】
図１６は、ホルダ２Ｃ１を圧壊子２３０で押圧した状態を示す平面図である。脆弱部５１Ａと、脆弱部５２Ａとの間には、複数の挿入孔１０が位置しているため、長側面３０の中央部を圧壊子２３０が押圧すると、脆弱部５１Ａから進展した亀裂は、挿入孔１０に達しやすい。さらに、脆弱部５２Ａから進展した亀裂も挿入孔１０に達しやすい。
【０１０１】
その結果、破断線Ｌ９は、脆弱部５１Ａおよび脆弱部５２Ａの間に位置する挿入孔１０を通り易い。そして、破断線Ｌ９によって、ホルダ２がホルダピース２Ｄおよびホルダピース２Ｅに分割される。その後、さらに、圧壊子２３０がホルダピース２Ｅを押圧することで、ホルダピース２Ｅがホルダピース２Ｄに対して相対的に幅方向Ｗに移動する。
【０１０２】
この際、脆弱部５１Ａおよび脆弱部５２Ａの間に位置していた挿入孔１０においては、当該挿入孔１０内に挿入されていた円筒電池がホルダピース２Ｄ，２Ｅによって押圧されて、損傷するおそれがある。
【０１０３】
その一方で、本実施の形態に係るホルダ２においては、図１３に示すように、破断線Ｌ８が挿入孔１０を通ることが抑制されており、上記のような課題が生じることが抑制されている。
【０１０４】
さらに、比較例に係るホルダ２Ｃ１においては、ホルダピース２Ｅは、ホルダピース２Ｄに対して幅方向Ｗのみに移動する。
【０１０５】
その一方で、図１４に示すように、本実施の形態に係るホルダ２においては、ホルダピース２Ａ，２Ｂは、長手方向Ｌにも変位する。
【０１０６】
すなわち、圧壊子２３０からの荷重が同じ場合において、本実施の形態に係るホルダ２は、長手方向Ｌの変形にも消費されるため、ホルダ２のホルダピース２Ａの幅方向Ｗの変位量は、比較例のホルダピース２Ｄの幅方向Ｗの変位量よりも小さく抑えることができる。
【０１０７】
このため、蓄電装置１Ａに対して隣り合う蓄電装置１Ｂに、ホルダピース２Ａが接触することを抑制することができ、蓄電装置１Ｂが損傷することを抑制することができる。
【０１０８】
上記の実施の形態においては、脆弱部５１および脆弱部５２が、仮想破断線Ｌ１の近傍に配置された例について説明したが、脆弱部５１および脆弱部５２は、仮想破断線Ｌ１が通る位置に形成されていてもよい。
【０１０９】
図１７は、脆弱部５１および脆弱部５２が仮想破断線Ｌ１が通る位置に形成されたホルダを示す平面図である。
【０１１０】
このホルダ２においては、脆弱部５１は仮想破断線Ｌ１と重なり合う位置に形成されており、脆弱部５２も仮想破断線Ｌ１と重なり合う位置に形成されている。
【０１１１】
脆弱部５１，５２が形成されていることから、仮想破断線Ｌ１を通る位置において、ホルダ２の断面積は小さくなっている。
【０１１２】
そのため、ホルダ２に圧壊子２３０から荷重が加えられると、仮想破断線Ｌ１に沿って応力が集中しやすく、仮想破断線Ｌ１に沿ってホルダ２が破断する。具体的には、破断線は、薄肉部５０Ａ，４９Ａ，５０Ｂ，４９Ｂ，５０Ｃ，４９Ｃ，５０Ｄを通るように破断する。これにより、上記の実施の形態と同様の効果を得ることができる。
【０１１３】
なお、脆弱部５１および脆弱部５２の一方を仮想破断線Ｌ１と重なり合う位置に形成し、他方を仮想破断線Ｌ１の近傍に形成するようにしてもよい。上記においては、蓄電装置１Ａの構成について詳細に説明したが、蓄電装置１Ｂも蓄電装置１Ａと同様に構成されている。
（実施の形態２）
図１８などを用いて、本実施の形態２に係る蓄電装置１Ｃについて説明する。なお、ホルダの構成以外の構成においては、蓄電装置１Ｃの構成は蓄電装置１Ａの構成と実質的に同一である。
【０１１４】
図１８は、蓄電装置１Ｃのホルダ２Ｃを示す平面図である。ホルダ２Ｃの長側面３０には、脆弱部５１および脆弱部８０が形成されており、長側面３１には脆弱部５２が形成されている。
【０１１５】
図１９は、脆弱部５１，５２，８０およびその周囲の構成を示す平面図である。ここで、対称仮想線Ｌ２０は、脆弱部５２の頂辺６９を通り、幅方向Ｗに延びる仮想直線である。
【０１１６】
なお、本実施の形態２においても、各孔列３５，３６，３７，３８は、長手方向Ｌに等間隔に間隔をあけて配列する複数の挿入孔１０を含む。
【０１１７】
その一方で、実施の形態２においては、脆弱部８０との関連する挿入孔１０として、上記実施の形態１において説明した挿入孔１０Ａ〜１０Ｈ以外の挿入孔１０についても説明する。
【０１１８】
孔列３５は、対称仮想線Ｌ２０に対して、挿入孔１０Ａと対称な位置に形成された挿入孔（第７挿入孔）１０Ａ１を含む。さらに、孔列３５は、対称仮想線Ｌ２０に対して挿入孔１０Ｂと対称な位置に形成された挿入孔１０（第８挿入孔）Ｂ１を含む。そして、挿入孔１０Ａ１および挿入孔１０Ｂ１の間には、薄肉部（第４薄肉部）５０Ａ１が形成されている。
【０１１９】
孔列３６は、対称仮想線Ｌ２０に対して、挿入孔１０Ｃと対称な位置に形成された挿入孔（第７挿入孔）１０Ｃ１を含む。さらに、孔列３６は、対称仮想線Ｌ２０に対して、挿入孔１０Ｄと対称な位置に形成された挿入孔（第８挿入孔）１０Ｄ１を含む。そして、挿入孔１０Ｃ１および挿入孔１０Ｄ１の間には、薄肉部（第５薄肉部）５０Ｂ１が形成されている。
【０１２０】
孔列３７は、対称仮想線Ｌ２０に対して挿入孔１０Ｆと対称な位置に形成された挿入孔１０Ｆ１を含む。そして、挿入孔１０Ｅおよび挿入孔１０Ｆ１の間には、薄肉部５０Ｃ１が形成されている。
【０１２１】
ここで、仮想破断線（他の仮想破断線）Ｌ２１は、薄肉部５０Ａ１，４９Ａ１，５０Ｂ１，４９Ｂ１，５０Ｃ１，４９Ｃ１，５０Ｄを通る仮想直線である。
【０１２２】
図２０は、脆弱部８０およびその周囲の構成を示す平面図である。仮想破断線Ｌ２１の部分Ｐ５は長側面３０に位置しており、部分Ｐ６は薄肉部５０Ａ１に位置している。
【０１２３】
仮想線分ＬＬ３は、仮想破断線Ｌ２１のうち部分Ｐ１および部分Ｐ２の間に位置する線分である。
【０１２４】
図２１は、仮想線分ＬＬ３および脆弱部８０の配置関係を示す平面図である。この図２１において、領域Ｒ３は、ホルダ２のうち仮想線分ＬＬ３に対して長側面３０側に位置する部分である。
【０１２５】
脆弱部８０が仮想破断線Ｌ２１の近傍に位置するとは、脆弱部８０の少なくとも一部が領域Ｒ３内に位置することを意味する。
【０１２６】
本実施の形態２においては、脆弱部８０の先端側は、長側面３０から離れるにつれて、先細になるように形成されている。そして、脆弱部８０の先端部には、脆弱部５１の頂辺６４と同様に、頂辺８１が形成されている。頂辺８１は、薄肉部５０Ａ１に対して幅方向Ｗに隣り合う。
【０１２７】
上記のように構成されたホルダ２Ｃに外力が加えられた場合について説明する。図２２は、圧壊子２３０が、長手方向Ｌにおいて長側面３０の中央部を押圧したときの平面図である。
【０１２８】
ここで、圧壊子２３０が、長側面３０を押圧すると、頂辺６４，６９，８１から亀裂が進展する。そして、頂辺８１は、薄肉部５０Ａ１に対して隣り合うように設けられているため、頂辺８１から進展した亀裂は、薄肉部５０Ａ１に達しやすい。さらに、脆弱部５２の頂辺６９から進展した亀裂は、薄肉部５０Ｄに達しやすい。
【０１２９】
このため、ホルダ２Ｃは、主に、薄肉部４９Ａ１，５０Ｂ１，４９Ｂ１，５０Ｃ１，４９Ｃ１，５０Ｄによって接続された状態となり、各薄肉部４９Ａ１，５０Ｂ１，４９Ｂ１，５０Ｃ１，４９Ｃ１，５０Ｄに応力が集中しやすい。その結果、薄肉部５０Ａ１，４９Ａ１，５０Ｂ１，４９Ｂ１，５０Ｃ１，４９Ｃ１，５０Ｄを通るように破断線Ｌ１２が形成される。破断線Ｌ１２は、長側面３０側から長側面３１に向かうにつれて、短側面３３側から短側面３２に近づくように傾斜している。
【０１３０】
なお、本実施の形態においても、脆弱部５１および脆弱部５２が形成されているため、破断線Ｌ８が形成される。このように、ホルダ２Ｃにおいても、破断線Ｌ１２，Ｌ８が挿入孔１０を通ることを抑制することができる。
【０１３１】
破断線Ｌ８および破断線Ｌ１２が形成されると、ホルダ２Ｃは、ホルダピース２Ｆ，２Ｇ，２Ｈに分割される。
【０１３２】
そして、圧壊子２３０がホルダピース２Ｇをさらに押圧すると、ホルダピース２Ｆ，２Ｇ，２Ｈが互いに相対的に移動する。
【０１３３】
図２３は、ホルダ２Ｃが破断した後に、ホルダピース２Ｇがさらに圧壊子２３０によって押圧された状態を示す平面図である。
【０１３４】
ホルダ２Ｃが破断線Ｌ１２，Ｌ８で破断することで、ホルダピース２Ｆには、破断面８５が形成される。ホルダピース２Ｇには、破断面８６および破断面８７が形成される。同様に、ホルダピース２Ｈには、破断面８８が形成される。
【０１３５】
ホルダピース２Ｇが幅方向Ｗに移動すると、ホルダピース２Ｆは、破断面８６に沿って移動する。この際、破断面８６は、長側面３０側から長側面３１側に向かうにつれて、短側面３３側から短側面３２側に近づくように傾斜しているため、ホルダピース２Ｆは、幅方向Ｗおよび長手方向Ｌに移動する。具体的には、幅方向Ｗに移動しながら、短側面３２側から短側面３３側に向かう方向に移動する。
【０１３６】
同様に、ホルダピース２Ｈは、幅方向Ｗに移動しながら、短側面３３側から短側面３２側に向かう方向に移動する。
【０１３７】
このように、ホルダ２Ｃにおいても、圧壊子２３０からの荷重によって、ホルダピース２Ｆおよびホルダピース２Ｈを長手方向Ｌに移動させることができる。
【０１３８】
このように、圧壊子２３０からの荷重を長手方向Ｌの変形にも消費することで、ホルダ２Ｃが圧壊子２３０の荷重方向（幅方向Ｗ）に大きく変形することを抑制することができる。
【０１３９】
なお、本実施の形態２においては、脆弱部８０が仮想破断線Ｌ２１の近傍に形成された例について説明したが、脆弱部８０を仮想破断線Ｌ２１が通る位置に形成するようにしてもよい。
【０１４０】
上記実施の形態１、２において、脆弱部として切欠部を採用した例について説明したが、脆弱部は切欠部に限られず、外部から荷重が加えられた場合に、応力が集中して、亀裂が発生するようなものであればよい。たとえば、各長側面３０，３１の近傍に形成された貫通孔であってもよい。
【０１４１】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。さらに、上記数値などは、例示であり、上記数値および範囲にかぎられない。
【符号の説明】
【０１４２】
１Ａ，１Ｂ，１Ｃ  蓄電装置、２，２Ｃ  ホルダ、２Ａ，２Ｂ，２Ｄ，２Ｅ，２Ｆ，２Ｇ，２Ｈ  ホルダピース、３  円筒電池、４  樹脂ケース、５  正極バスバーモジュール、６  ーモジュール、７  アンダーカバー、８  接続バスバーモジュール、１０，１０Ａ，１０Ａ１，１０Ｂ，１０Ｂ１，１０Ｃ，１０Ｃ１，１０Ｄ，１０Ｄ１，１０Ｅ，１０Ｆ，１０Ｆ１，１０Ｇ，１０Ｈ  挿入孔、１１  正極、１２  負極、１４Ａ，１４Ｂ，１４Ｃ，１４Ｄ  正極バスバー、２０Ｂ，２０Ｃ，２０Ｄ，２０Ｅ  負極バスバー、２３，２３０  圧壊子、２６Ｂ，２６Ｃ，２６Ｄ，２６Ｅ  接続バスバー、２７  周面、２８  上面、２９  下面、３０，３１  長側面、３２，３３  短側面、３５，３６，３７，３８  孔列、４０，４１，４２，４３  ボルト孔、４９Ａ，４９Ａ１，４９Ｂ，４９Ｂ１，４９Ｃ，４９Ｃ１，５０Ａ，５０Ａ１，５０Ｂ，５０Ｂ１，５０Ｃ，５０Ｃ１，５０Ｄ  薄肉部、５１，５１Ａ，５２，５２Ａ，８０  脆弱部、６０，６１，６５，６６  内側面、６２，６３，６７，６８  傾斜面、６４，６９，８１  頂辺、７１，７２，８５，８６，８７，８８  破断面、２００  電池パック、２０１，２０２  固定プレート、２０３  外側面、２１０，２１１，２１２，２１３，２１４，２１５，２１６，２２０，２２１，２２２，２２３  ボルト、２０１６  特開、Ｌ  長手方向、Ｌ１，Ｌ２１  仮想破断線、Ｌ２，Ｌ３  仮想線、Ｌ８，Ｌ９，Ｌ１２  破断線、Ｌ１０，Ｌ１１  長さ、Ｌ２０  対称仮想線、ＬＬ１，ＬＬ２，ＬＬ３  仮想線分、ＯＡ，ＯＢ，ＯＣ，ＯＤ，ＯＥ，ＯＦ，ＯＧ，ＯＨ  中心、Ｐ１，Ｐ２，Ｐ３，Ｐ４，Ｐ５，Ｐ６  部分、Ｒ１，Ｒ２，Ｒ３  領域、Ｗ  幅方向。
【図１】
2019160626.tif 000003
【図２】
2019160626.tif 000004
【図３】
2019160626.tif 000005
【図４】
2019160626.tif 000006
【図５】
2019160626.tif 000007
【図６】
2019160626.tif 000008
【図７】
2019160626.tif 000009
【図８】
2019160626.tif 000010
【図９】
2019160626.tif 000011
【図１０】
2019160626.tif 000012
【図１１】
2019160626.tif 000013
【図１２】
2019160626.tif 000014
【図１３】
2019160626.tif 000015
【図１４】
2019160626.tif 000016
【図１５】
2019160626.tif 000017
【図１６】
2019160626.tif 000018
【図１７】
2019160626.tif 000019
【図１８】
2019160626.tif 000020
【図１９】
2019160626.tif 000021
【図２０】
2019160626.tif 000022
【図２１】
2019160626.tif 000023
【図２２】
2019160626.tif 000024
【図２３】
2019160626.tif 000025